(57)【要約】【課題】  開閉自在で調整可能な蓋部を備え、印字体の位置を調整することができる印鑑を提供することを課題とする。【解決手段】本体と、印部と、弾性部材と、上方蓋部と、蓋部とを含んでなり、本体が下方底面に凹設した上面に孔を形成し、収納空間周囲が壁体の収納空間を設け、印部が本体の孔に穿設された柱体と、ガイド部を具えた印字体とを含んでなり、弾性部材が弾性力を具え、一端が本体を押し圧し、他端が印部の位置が移動する部分を押し圧し、上方蓋部が本体上方に位置し、内部に印部と接続した接続体を具えてなり、印部と連動し、蓋部が内に向けて狭くなる溝を設けてなり、蓋部の両側端縁部にそれぞれ凸軸が設けられ、少なくとも一以上の側面にフックが設けられるため、蓋部の凸軸が本体の壁体内に嵌合して上方蓋部に当接し、上方蓋部が印部を下方向に連動し、蓋部が凸軸を中心に回転するようにするとともに、蓋部を反転して開くと、印字体で印鑑を押すことができる。【選択図】  図１
0003156758.tif 000002
【実用新案登録請求の範囲】
【請求項１】
本体と、印部と、少なくとも一以上の弾性部材と、上方蓋部と、少なくとも一以上の蓋部とを含んでなり、
該本体が、下方底面に凹設した収納空間を具えてなり、該収納空間は上面に少なくとも一以上の孔を有し、該収納空間の周囲が壁体であって、
該印部が、少なくとも一以上の柱体と、印字体とを具えてなり、該柱体が本体の孔に穿設され、該印字体が少なくとも一以上のガイド部を設けてなり、
該弾性部材が、位置を回復する弾性力を具え、一端が本体に押し圧し、他端が印部の位置が移動する部分を押し圧し、
該上方蓋部が、本体上方に位置し、内部に少なくとも一以上に接続体を具えてなり、印部と互いに接続し、上方蓋部と印部とが互いに連動し、
該少なくとも一以上の蓋部が、内側に向けて幅が狭くなる溝を設けてなり、蓋部の両側端縁部にそれぞれ凸軸が設けられ、少なくとも一以上の側面にフックが設けられ、よって、蓋部の凸軸が本体の壁体内に嵌合して上方蓋部に当接し、上方蓋部が印部を下方向に連動し、蓋部が凸軸を中心として回転するようにするとともに、蓋部を反転して開くことにより、印字体で印鑑を押すことができる構造からなることを特徴とする印鑑。
【請求項２】
前記蓋部が、少なくとも一以上の延伸空間を設けてなり、延伸空間で伸縮を変化させることができ、蓋部が本体の収納空間内にスムーズに位置決めされることを特徴とする請求項１に記載の印鑑。
【請求項３】
前記本体の壁体が、少なくとも一以上の滑動面を具えてなり、蓋部の凸軸が滑動面を通して本体内にすばやく嵌合できることを特徴とする請求項１に記載の印鑑。
【請求項４】
前記本体が、底面に滑り止め体を設けてなることを特徴とする請求項１に記載の印鑑。
【請求項５】
前記印部が、少なくとも一以上の係合式の挿入管と、係合式のインク管とを位置決めして嵌合することを特徴とする請求項１に記載の印鑑。
【請求項６】
前記孔と孔との間が、延伸空間を具えてなることを特徴とする請求項１に記載の印鑑。
【請求項７】
前記上方蓋部が、少なくとも一以上の位置決めボタンを設けてなり、位置決めボタンを移動して本体を係合し、一時的に印鑑を位置決めすることを特徴とする請求項１に記載の印鑑。
【請求項８】
前記蓋部が、蓋部と互いに貼着する貼着部の両側端節部に切り欠け部を設けてなることを特徴とする請求項１に記載の印鑑。
【請求項９】
前記上方蓋部が、傾斜した凹面を設けてなることを特徴とする請求項１に記載の印鑑。
【請求項１０】
前記上方蓋部が、波状の凹面を設けて、さらに大きな面積の紙を設けることができることを特徴とする請求項１に記載の印鑑。
【請求項１１】
前記本体が、内部の空間に少なくとも位置以上のインクの容器を設けてなることを特徴とする請求項１に記載の印鑑。
【請求項１２】
前記本体が、下方に表示点を設けてなり、印鑑を押す場合に本体が印鑑を押す場所に正確に押すことができるために供することを特徴とする請求項１に記載の印鑑
【請求項１３】
前記上方蓋部が、外側に当接部を設けてなり、印鑑の使用者が印鑑を押す場合に、手で当接して使用するために供することを特徴とする請求項１に記載の印鑑。
【請求項１４】
前記本体の収納空間が、両側の壁体に円形の軸孔を設けてなることを特徴とする請求項１に記載の印鑑。
【請求項１５】
前記印部が、下方にフレーム体を設けてなり、該フレーム体が印部周辺を保護し、損傷することや、印字体内の内容が傷つくことを防ぐことを特徴とする請求項１に記載の印鑑。
【請求項１６】
前記フレーム体が、ガイド部を設けてなることを特徴とする請求項１５に記載の印鑑。
【請求項１７】
本体と、印部と、少なくとも一以上の弾性部材と、上方蓋部と、少なくとも一以上の蓋部と、調整ボタンを含んでなり、
該本体が、下方底面に凹設した収納空間を具えてなり、該収納空間は上面に少なくとも一以上の孔を形成し、該収納空間の周囲が壁体であって、
該印部が、少なくとも一以上の柱体と、印字体とを具えてなり、該柱体が本体の孔に穿設され、該印字体が少なくとも一以上のガイド部を設けてなり、
該弾性部材が、位置を回復する弾性力を具え、一端が本体を押し圧し、他端が印部の位置が移動する部分を押し圧し、
該上方蓋部が、本体上方に位置し、内部に少なくとも一以上の接続体を具えてなり、印部と互いに接続し、上方蓋部と印部とが互いに連動し、
該少なくとも一以上の蓋部が、蓋部の両側端縁部にそれぞれ凸軸を設てなり、少なくとも一以上の側面にフックが設けられ、
該調整ボタンが、中空のフレーム体で、外周に凸部が設けられ、本体と上方蓋部に被覆される空間内に設けられ、調整ボタンが設けられた空間内に当接縁部を設けてなり、調整ボタンにあわせて凸部が回転し、当接部の縦方向の位置に設けられ、
よって、上方蓋部を押し圧すると、上方蓋部が印部を下方向に連動し、蓋部が凸軸を中心として回転するようにするとともに、蓋部を反転して開くと、印字体で印鑑を押すことができ、調整ボタンが印字体の露出する一及び印鑑を平行に固定する位置決めを調整することを特徴とする印鑑。
【請求項１８】
前記上方蓋部が、外側に少なくとも一以上の露出口を設けてなることを特徴とする請求項１７に記載の印鑑。
【請求項１９】
前記上方蓋部が、内部に調整ボタンを設けてなり、本体が壁体を設けてなり、壁体が下端に当接端縁部を設けてなり、当接端縁部の下方を調整ボタンの凸部が回転するために供し、印鑑を位置決めするために供することを特徴とする請求項１７に記載の印鑑。
【考案の詳細な説明】
【技術分野】
【０００１】
この考案は、印鑑であって、特に蓋部の開閉がスムーズで、蓋部を位置決めすることができる印鑑に関する。
【背景技術】
【０００２】
従来のキャップのない印鑑は、携帯する場合にインクのシミがつき易く非常に不便である。
【０００３】
市場では浸透印鑑に蓋体を設けて印面を遮断する印鑑があるが、蓋体を外さないと印面を使用できないため、不便であった。
【０００４】
その後、連続して使用することのできる複数の浸透印鑑が開発された。印鑑の位置を上昇させて、印面が外部に露出しないようにしたり、あるいは回転式の蓋で印面を被覆して、印鑑を使用する人をインクで汚さないようにしたため、非常に便利になった。
【０００５】
しかしながら、市場で販売されている浸透印鑑は上述の機能しか具えてなく、多機能な浸透印鑑はまだない。
【０００６】
特に、浸透印鑑を上下に移動する過程を制御することや、或いは印面の深さを制御する、或いは印鑑の制御及び設定を呈しするなどの機能は従来の印鑑には設けられていない。
【０００７】
市場が多様に変化する中で、多様な機能を具えた浸透印鑑が使用者に求められている。
【考案の開示】
【考案が解決しようとする課題】
【０００８】
この考案は、開閉自在で調整可能な蓋部を備え、印字体の位置を調整することができる印鑑を提供することを課題とする。
【課題を解決するための手段】
【０００９】
そこで、本考案者は従来の技術に見られる欠点に鑑みて鋭意研究を重ねた結果、本体と、印部と、少なくとも一以上の弾性部材と、上方蓋部と、少なくとも一以上の蓋部とを含んでなり、
該本体が、下方底面に凹設した収納空間を具えてなり、該収納空間は上面に少なくとも一以上の孔を有し、該収納空間の周囲が壁体であって、
該印部が、少なくとも一以上の柱体と、印字体とを具えてなり、該柱体が本体の孔に穿設され、該印字体が少なくとも一以上のガイド部を設けてなり、
該弾性部材が、位置を回復する弾性力を具え、一端が本体に押し圧し、他端が印部の位置が移動する部分を押し圧し、
該上方蓋部が、本体上方に位置し、内部に少なくとも一以上に接続体を具えてなり、印部と互いに接続し、上方蓋部と印部とが互いに連動し、
該少なくとも一以上の蓋部が、内側に向けて幅が狭くなる溝を設けてなり、蓋部の両側端縁部にそれぞれ凸軸が設けられ、少なくとも一以上の側面にフックが設けられ、よって、蓋部の凸軸が本体の壁体内に嵌合して上方蓋部に当接し、上方蓋部が印部を下方向に連動し、蓋部が凸軸を中心として回転するようにするとともに、蓋部を反転して開くことにより、印字体で印鑑を押すことができる構造からなる印鑑の構造によって課題を解決できる点に着眼し、かかる知見に基づいて本考案を完成させた。
【００１０】
以下、この考案について具体的に説明する。
請求項１に記載の印鑑は、本体と、印部と、少なくとも一以上の弾性部材と、上方蓋部と、少なくとも一以上の蓋部とを含んでなり、
該本体が、下方底面に凹設した収納空間を具えてなり、該収納空間は上面に少なくとも一以上の孔を有し、該収納空間の周囲が壁体であって、
該印部が、少なくとも一以上の柱体と、印字体とを具えてなり、該柱体が本体の孔に穿設され、該印字体が少なくとも一以上のガイド部を設けてなり、
該弾性部材が、位置を回復する弾性力を具え、一端が本体に押し圧し、他端が印部の位置が移動する部分を押し圧し、
該上方蓋部が、本体上方に位置し、内部に少なくとも一以上に接続体を具えてなり、印部と互いに接続し、上方蓋部と印部とが互いに連動し、
該少なくとも一以上の蓋部が、内側に向けて幅が狭くなる溝を設けてなり、蓋部の両側端縁部にそれぞれ凸軸が設けられ、少なくとも一以上の側面にフックが設けられ、よって、蓋部の凸軸が本体の壁体内に嵌合して上方蓋部に当接し、上方蓋部が印部を下方向に連動し、蓋部が凸軸を中心として回転するようにするとともに、蓋部を反転して開くことにより、印字体で印鑑を押すことができる構造からなる。
【００１１】
請求項２に記載の印鑑は、請求項１における蓋部が、少なくとも一以上の延伸空間を設けてなり、延伸空間で伸縮を変化させることができ、蓋部が本体の収納空間内にスムーズに位置決めされる。
【００１２】
請求項３に記載の印鑑は、請求項１における本体の壁体が、少なくとも一以上の滑動面を具えてなり、蓋部の凸軸が滑動面を通して本体内にすばやく嵌合できる。
【００１３】
請求項４に記載の印鑑は、請求項１における本体が、底面に滑り止め体を設けてなる。
【００１４】
請求項５に記載の印鑑は、請求項１における印部が、少なくとも一以上の係合式の挿入管と、係合式のインク管とを位置決めして嵌合する。
【００１５】
請求項６に記載の印鑑は、請求項１における孔と孔との間が、延伸空間を具えてなる。
【００１６】
請求項７に記載の印鑑は、請求項１における上方蓋部が、少なくとも一以上の位置決めボタンを設けてなり、位置決めボタンを移動して本体を係合し、一時的に印鑑を位置決めする。
【００１７】
請求項８に記載の印鑑は、請求項１における蓋部が、蓋部と互いに貼着する貼着部の両側端節部に切り欠け部を設けてなる。
【００１８】
請求項９に記載の印鑑は、請求項１における上方蓋部が、傾斜した凹面を設けてなる。
【００１９】
請求項１０に記載の印鑑は、請求項１における上方蓋部が、波状の凹面を設けて、さらに大きな面積の紙を設けることができる。
【００２０】
請求項１１に記載の印鑑は、請求項１における本体が、内部の空間に少なくとも位置以上のインクの容器を設けてなる。
【００２１】
請求項１２に記載の印鑑は、請求項１における本体が、下方に表示点を設けてなり、印鑑を押す場合に本体が印鑑を押す場所に正確に押すことができるために供する。
【００２２】
請求項１３に記載の印鑑は、請求項１における上方蓋部が、外側に当接部を設けてなり、印鑑の使用者が印鑑を押す場合に、手で当接して使用するために供する。
【００２３】
請求項１４に記載の印鑑は、請求項１における本体の収納空間が、両側の壁体に円形の軸孔を設けてなる。
【００２４】
請求項１５に記載の印鑑は、請求項１における印部が、下方にフレーム体を設けてなり、該フレーム体が印部周辺を保護し、損傷することや、印字体内の内容が傷つくことを防ぐ。
【００２５】
請求項１６に記載の印鑑は、請求項１５におけるフレーム体が、ガイド部を設けてなる。
【００２６】
請求項１７に記載の印鑑は、本体と、印部と、少なくとも一以上の弾性部材と、上方蓋部と、少なくとも一以上の蓋部と、調整ボタンを含んでなり、
該本体が、下方底面に凹設した収納空間を具えてなり、該収納空間は上面に少なくとも一以上の孔を有し、該収納空間の周囲が壁体であって、
該印部が、少なくとも一以上の柱体と、印字体とを具えてなり、該柱体が本体の孔に穿設され、該印字体が少なくとも一以上のガイド部を設けてなり、
該弾性部材が、位置を回復する弾性力を具え、一端が本体を押し圧し、他端が印部の位置が移動する部分を押し圧し、
該上方蓋部が、本体上方に位置し、内部に少なくとも一以上の接続体を具えてなり、印部と互いに接続し、上方蓋部と印部とが互いに連動し、
該少なくとも一以上の蓋部が、蓋部の両側端縁部にそれぞれ凸軸を設てなり、少なくとも一以上の側面にフックが設けられ、
該調整ボタンが、中空のフレーム体で、外周に凸部が設けられ、本体と上方蓋部に被覆される空間内に設けられ、調整ボタンが設けられた空間内に当接縁部を設けてなり、調整ボタンにあわせて凸部が回転し、当接部の縦方向の位置に設けられ、
よって、上方蓋部を押し圧すると、上方蓋部が印部を下方向に連動し、蓋部が凸軸を中心として回転するようにするとともに、蓋部を反転して開くことにより、印字体で印鑑を押すことができ、調整ボタンが印字体の露出する位置及び印鑑を平行に固定する位置決めを調整する。
【００２７】
請求項１８に記載の印鑑は、請求項１７における上方蓋部が、外側に少なくとも一以上の露出口を設けてなる。
【００２８】
請求項１９に記載の印鑑は、請求項１７における上方蓋部が、内部に調整ボタンを設けてなり、本体が壁体を設けてなり、壁体が下端に当接端縁部を設けてなり、当接端縁部の下方を調整ボタンの凸部が回転するために供し、印鑑を位置決めするために供する。
【考案の効果】
【００２９】
この考案による印鑑は、蓋部が印字体を保護してインクが外部に付着しない、使用寿命を延長することができるとともに、印字体の位置を調整できて実用的であるという効果を有する。
【考案を実施するための最良の形態】
【００３０】
この考案は、開閉自在で調整可能な蓋部を備え、印字体の位置を調整することができる印鑑であって、本体と、印部と、少なくとも一以上の弾性部材と、上方蓋部と、少なくとも一以上の蓋部とを含んでなり、
該本体が、下方底面に凹設した収納空間を具えてなり、該収納空間は上面に少なくとも一以上の孔を有し、該収納空間の周囲が壁体であって、
該印部が、少なくとも一以上の柱体と、印字体とを具えてなり、該柱体が本体の孔に穿設され、該印字体が少なくとも一以上のガイド部を設けてなり、
該弾性部材が、位置を回復する弾性力を具え、一端が本体に押し圧し、他端が印部の位置が移動する部分を押し圧し、
該上方蓋部が、本体上方に位置し、内部に少なくとも一以上に接続体を具えてなり、印部と互いに接続し、上方蓋部と印部とが互いに連動し、
該少なくとも一以上の蓋部が、内側に向けて幅が狭くなる溝を設けてなり、蓋部の両側端縁部にそれぞれ凸軸が設けられ、少なくとも一以上の側面にフックが設けられ、よって、蓋部の凸軸が本体の壁体内に嵌合して上方蓋部に当接し、上方蓋部が印部を下方向に連動し、蓋部が凸軸を中心として回転するようにするとともに、蓋部を反転して開くことにより、印字体で印鑑を押すことができる構造からなる印鑑の構造と特徴を詳述するために具体的な実施例を挙げ、図示を参照にして以下に説明する。
【実施例】
【００３１】
図１から図４は、この考案の印鑑を示した説明図である。
【００３２】
図面によれば、この考案の印鑑は、本体１０と、印部２０と、上方蓋部３０と、弾性部材５０と、二つの蓋部４０とを含んでなる。
【００３３】
該本体１０は下方底面に収納空間１１を凹設する。該収納空間１１は上面に孔１２を形成する。
【００３４】
該収納空間１１は、周囲が壁体であって、収納空間１１の長手方向に垂直な両側の壁体にはそれぞれ二つの円形の軸孔１３が設けられる。
【００３５】
該円形の軸孔１３は、閉じられているか、或いは貫通して形成される。該軸孔１３は、蓋部４０の凸軸４２の全円周最大の面積を供し、摩擦力を減少する場合の損壊（従来の印鑑の凹設した弧では、摩擦力が凹設した弧の周辺に集中して、該周辺部が速い速度で損壊した）を分散することができる。
【００３６】
よって、印鑑の使用寿命を延長することができる。
【００３７】
また、円形の軸孔１３の壁体は片状に形成されて、弾性を具えているため、上方から圧力を受けると外側に開き、蓋部４０の組み合わせに便利である。
【００３８】
本体１０は、上半部を囲んだ保護体１５を具えてなる。該保護体１５は方形のフレームに囲うように形成される。
【００３９】
本体１０は、長手方向に垂直な両側の内壁に形成された斜度を具えた滑動面１６と、本体１０の底面の予め決められた位置に設けられた滑り止め体１７とを具えてなる。
【００４０】
該滑り止め体１７は、ゴム製で、印鑑を押す過程で本体１０が滑動することを防ぎ、印鑑を使用する場合、薄い曖昧な印になることを防ぐことができる。
【００４１】
該本体１０の底部には、印鑑を使用し、印鑑を正確に押すことができるための表示として表示点１４が設けられる。
【００４２】
印部２０は、複数の柱体２１と、印字体２２とを含んでなる。
【００４３】
印部２０の柱体２１は、それぞれ本体１０の孔１２に穿設される。
【００４４】
少なくとも一本の柱体２１（中間の柱体）は、弾性部材５０を供するための柱体２１と一体に成形された凸凹部（位置）２１２を設けてなる。
【００４５】
該弾性部材５０は、一端が本体１０に押し圧し、他端が印部の移動する部分、位置（部分、位置には凸凹部２１２だけでなく、印部と相互に連動する部材を含む）に押し圧して印部２０が位置を回復する目的を達成することができる。
【００４６】
孔１２の間には、隙間１０８（図２参照）が設けられ、柱体２１が通過する場合の延伸空間（図２３に開示する延伸空間７１３）となる。
【００４７】
柱体２１が本体１０の孔１２を通過すると、孔１２の外周縁部１０７が柱体２１に貼着するように隣接する。
【００４８】
印字体２２の両側面には二つのガイド部２３が設けられる。本体１０の壁体の端縁部と蓋部４０は、両者のどちらか一つに少なくとも一つ以上の延伸空間４１が設けられる。
【００４９】
上方蓋部３０は、本体１０の上方に設けられる。該上方蓋部３０は内部に少なくとも一以上の接続体３１を具えてなり、該接続体３１は印部２０の中間の柱体２１と互いに接続する。
【００５０】
該接続体３１と柱体２１が接続すると、上方蓋部３０と印部２０とが互いに連動する。
【００５１】
上方蓋部３０は透明なカバーを設けて内側に印鑑の内容、広告などを記載した物を設ける凹面３２を表面に設けてもよい。（該凹面３２は上方蓋部３０の長手方向の左右側面か、或いは長手方向に垂直な両側面に延伸して形成してもよい）。
【００５２】
二つの蓋部４０の両側端縁部にはそれぞれ凸軸４２が設けられ、且つ少なくとも一以上の側面にはフック４３が設けられる。
【００５３】
該蓋部４０のフック４３は内側に、内に向けて次第に幅が狭くなるように形成された溝４４を具えてなる。
【００５４】
該溝４４にはガイド面４５が設けられ、本体１０の壁体には滑動面１６が設けられる。
【００５５】
蓋部４０は少なくとも一以上の側面端縁部とフック４３の側面とがいずれも本体１０の壁体に貼着し、蓋部４０の凸軸４２に角部４７が設けられているため、組み合わせに便利である。
【００５６】
上方蓋部３０は、外側面上の長手方向の左右両側面及び長手方向に垂直な両側面の少なくとも一面に当接部３３（３４）が設けられる。長手方向側面の当接部３３は、上方蓋部３０の下方端縁部に適宜な幅の厚さを具えた凸面３５を設ける。
【００５７】
該凸面３５は、下から上に向けて適宜に高さが高くなるように形成する。該凸面３５の上方端縁部は、使用者が印鑑を使用する場合に、手を当接部３３に当接するために供する。
【００５８】
上方蓋部３０の長手方向に垂直な左右両側の当接部３４は、側面の上方から下方に向けて本体を除去して形成する。上方蓋部３０の本体１０の一部を除去すると、下方に使用者が印鑑を押す場合に手を当接するために供する当接部３４が形成される。
【００５９】
本体１０の外側面上には、片上の滑り止め体を設けてもよい。
【００６０】
上述の構造からなるこの考案の印鑑は、組み合わせる場合、蓋部４０に延伸空間４１が設けられ、蓋部４０の側面端縁部の凸軸４２を滑動面１６に沿って滑動させると、延伸空間４１の伸縮機能で蓋部４０の長さが短縮される。
【００６１】
よって、蓋部４０の凸軸４２がすばやく円形の軸孔１３内に嵌合し、蓋部４０が収納空間１１内にスムーズに位置決めされる。
【００６２】
蓋部４０には内側に向けて幅が狭くなる溝４４が設けられているため、蓋部４０が収納空間１１に位置決めされた後、及び印部２０が下方に移動する前に、印字体２２上のガイド部２３と溝４４のガイド面４５との間に自然と空間４６が形成される。
【００６３】
該空間４６は、溝４４の空間の一部であって、印部２０が下方に移動し始める蓋部４０を回転させる力を生み出すとともに、ガイド部２３が空間４６を通過して、ガイド面４５に接触すると、非垂直（９０度）で接触し、蓋部４０を回転する力をさらに減らすことができる。
【００６４】
蓋部４０は、印部２０が下方に移動するに従って回転するため、印鑑を押す過程をいずれもスムーズに実施することができる。
【００６５】
また、蓋部４０は少なくとも一側面が壁体に貼着（従来の壁体上には凸部が設けられ、蓋部が水平に位置決めされていないと、壁際には空間が形成される）し、密封に近い状態になるため、印鑑のインクが揮発する速度を抑えることができるとともに、壁体にはいずれの凸部も設けられていないため、印字体２２の印字面積を拡大することができる。
【００６６】
印鑑を押す場合、上方蓋部３０を押し圧と、上方蓋部３０が印部２０を下方に連動して印部２０のガイド部２３が空間４６を通過し、蓋部４０のガイド面４５を駆使して蓋部４０が凸軸４２を中心に回転する。
【００６７】
二つの蓋部４０が回転して開くと、印字体２２で印鑑を押すことができる。
【００６８】
上方蓋部３０を押し圧しなくなると、印部２０が弾性部材５０の弾力で上方に異動し、上方蓋部３０も連動して上方に移動する。
【００６９】
印部２０のガイド部２３が蓋部４０のフック４３を反対方向に回転するように動かして、二つの蓋部４０が回転し、印字体２２が被覆される（蓋部４０は印部２０の上下移動に沿っていずれもスムーズに回転し、蓋部４０の少なくとも一側面と壁体とが貼着し、密封に近い状態になるため、印鑑のインクが揮発する速度を抑えることができる）。
【００７０】
図５に開示するように、上方蓋部３０ａと本体１０ａの形態を変えても、構造上は上述の実施形態と同様で、弾性部材５０ａが円錐状に形成される。
【００７１】
図６に開示するように、上方蓋部３０ｂをハンドル状に形成し、本体１０ｂ、印部２０ｂ、蓋部４０ｂを上述の実施形態と同様に形成する。
【００７２】
図７、８に開示するように、上方蓋部３０ｉの高さを縮小し、本体１０ｉの高さも縮小する。
【００７３】
印部２０ｉは高さを縮小し、弾性部材５０ｉを当接するために供する凸体２０４ｉを形成し、蓋部４０ｉは同様に形成する。
【００７４】
よって、体積を大幅に縮小することができるため、包装、運送、収納、携帯に便利である。
【００７５】
図９に開示するように、軸孔の壁体の端縁部には延伸空間（隔離空間）３１ｊを形成する。
【００７６】
二つの延伸空間３１ｊは互いに接続して大きな空間となり、本体の底端縁部の長手方向の両面に少なくとも一面の壁体に空間が形成される。
【００７７】
該空間に透明のカバーを設けて眼で印鑑を押す場所を確認することができるとともに、印鑑の外側の体積を縮小することもできる。
【００７８】
凹面３６ｋも図１０に開示するように、（印部の柱体を本体１０ｋに予め設けられた孔に穿設し、上方に延伸して上方蓋部に本体１０ｋを内設し、前述の凹面３２と同様の目的を達成することができる）
【００７９】
図１１−１に開示するように、蓋部４０ｃの二つのフック４３ｃは非対称（フック４３ｃを除く部分の本体）に設けられる。
【００８０】
よって、蓋部４０ｃが回転しても互いに分離してフック４３ｃが接触することがなく、上述の目的も達成することができる。
【００８１】
上方蓋部３０ｃと本体１０ｃはいずれも少なくとも一以上の位置決めボタン３０１ｃを設けてなる。
【００８２】
図１１−１に開示するように、上方蓋部３０ｃの側面端縁部に位置決めボタン３０１ｃが設けると、該位置決めボタン３０１ｃは、本体１０ｃを側面移動（挿入）して係合し、印部２０ｃが露出することを一時的に位置決めすることができる。
【００８３】
図１１−２に開示するように、位置決めボタン３０１ｃを本体１０ｃ上に設けると、位置決めボタン３０１ｃが印部２０ｃを側面に移動（押し圧挿入）して係合し、一時的に印部２０ｃが露出することを位置決めすることができる。
【００８４】
図１２−１、１２−２、１２−３に開示するように、印部２０ｄには少なくとも一以上の係合式の挿入管２０２ｄが設けられ、係合式のインク管２１ｄを嵌合するために供する。
【００８５】
係合式の挿入管２０２ｄは上方端縁部の角が弧状に形成されているため、係合式のインク管２１ｄをさらに嵌合、位置決めし易くする。
【００８６】
フレーム２４は、印字体２０１ｄの周辺部を保護するために供し、印字体２０１ｄ内の印字が押し圧、損傷することを防ぐことができる。
【００８７】
該フレーム２４の両側に設けられたフック片２４１は、印字体２０１ｄのフック孔３５ｄに係合する。
【００８８】
フレーム２４は、印字体２０１ｄの形状に合わせて形状を変えて形成することができる。
【００８９】
別の組み合わせ方法では、図１３−１、１３−２、１３−３、１３−４、１３−５、１３−６に開示するように、印部２０ｅの下方に方形のフレーム２５を設ける。
【００９０】
該フレーム２５の上方には挟持端２５１を形成する。よって、印部２０ｅの下方周辺のフレーム２０３ｅを挟持して、印部２０ｅの一部にすることができる。
【００９１】
該フレーム２５の両側にはガイド部２５２を設ける。
【００９２】
図１４は、この考案の第１０の実施形態を示した説明図である。
【００９３】
図面によれば、上方蓋部３０ｆは、印部２０ｆの柱体２１ｆに接続し、上方蓋部３０ｆには波状の凹面３２ｆが設けられる。
【００９４】
よって、凹面３２ｆの表面面積が増加し、比較的大きな面積の紙を設けることができる。
【００９５】
印鑑内部の空間（本体１０ｆ内部と印部２０ｆ上部のいずれか一つ）には、透明なインク容器２２ｆを設けてインク部２３ｆに必要なインクを供給するために供する。
【００９６】
本体１０ｆの外側には少なくとも一面以上の透明体１０１ｆを設けて、使用者が透明体１０１ｆを見ることで、印鑑内部のインク容器２２ｆのインクの量を確認することができ、適宜にインクを補充、或いはインク容器２２ｆを交換することができる。
【００９７】
図１５−１、１５−２、１５−３、１５０４、１５−５に開示するように、該蓋部４０ｇと蓋部４０ｇとが互いに貼着する貼着部４０１ｇは、対称の凸凹が互い違いに設けられ、密封性がさらに緊密になる。
【００９８】
該本体１０ｇは、下方に四つの滑り止め体１７ｇを設けてなり、貼着部４０１ｇの両側端縁部には切り欠け部４０２ｇが設けられ、蓋部４０ｇを開くと、滑り止め体１７ｇと切り欠け部４０２ｇとが略同じ位置で互いに係合せずに接触してスムーズに開くことができる。
【００９９】
図１６に開示するように、上方蓋部３０ｈには、傾斜した凹面３２ｈが設けられ、その上方には透明ケースを具えてなる。
【０１００】
凹面３２ｈには、表示、或いは図案を設けることができる。傾斜は、オフィスで働く人が座った場合の視線の角度から一目で標識や図案をはっきり確認することができるようにすることを目的としている。
【０１０１】
図１７、１８、１９−１及び１９−２に開示するように、調整ボタン６０は本体７０と上方蓋部８０に被覆された空間の内部に挿設され、上方蓋部８０が上下に移動するに従って、調整ボタン６０が接触面６１に設けられる。
【０１０２】
底部の対向する位置（周辺）には二つの凸部６２が設けられる。底部には本体７０に合わせてアレイ状に異なる高さの階段７１１（接触面）が設けられ、印面の露出する程度を制御することができる。
【０１０３】
図１７及び図１８に開示するように、調整ボタン６０を一角度回転させると、凸部６２が本体７０の保護体７１５と壁体７１２から離れるため、上部蓋部８０を上下に自由に移動させることができる。
【０１０４】
図２０に開示するように、調整ボタン６０を再度一角度回転すると、凸部６２が本体７０の保護体７１５上端の当接端縁部（壁体７１２上端の当接端縁部７１２２を含む）の上方に位置する。
【０１０５】
よって、上方蓋部８０を上下に移動させることができなくなる。
【０１０６】
図２１、２２に開示するように、上方蓋部８０を下方に押し圧すると、上方蓋部８０が下方に押し圧された後、上下に移動できなくなり、壁体７１２の下端に当接端縁部７１２１が設けられているため、上方蓋部８０を下方に押し圧すると、調整ボタン６０を一角度回転させることができる。
【０１０７】
該凸部６２が本体７０の当接端縁部７１２１の下方に当接し、上方蓋部８０を上下に移動しないようにすると、印字された部分が外側に露出する。
【０１０８】
よって、印鑑業者が印字された部分を分解、組み立てるために便利である。
【０１０９】
調整ボタン６０は、上方蓋部８０と印部２０ａを位置決めする。
【０１１０】
上述の構造に共通している部分は、調整ボタン６０とともに回転する二つの凸部６２が本体７０と上方蓋部８０に被覆された空間内に予め設けられた当接縁部の縦方向の位置に挿設される（当接端縁部の上下両方の位置）。
【０１１１】
即ち、印部２３ａを予め設定された位置に露出して位置決めするとともに、凸部６２が調整ボタン６０の外周の予め決められた角度（平行な位置）に分散して設けられているため、印鑑の印字された部分を平行に固定する目的を達成することができる。
【０１１２】
図２３に開示するように、本体７０の孔は、互いの間に延伸空間７１３が設けられ、柱体を穿設時の伸縮空間にするために供する。
【０１１３】
図２４−１、２４−２、２４−３に開示するように、調整ボタン６０ａは、上述の本体７０と上方蓋部８０に被覆された空間内に設けられる。
【０１１４】
調整ボタン６０ａは、中空のフレーム体で、外周にそれぞれ設けられた接触面６１ａと、底部に対向して設けられた二つの凸部６２ａとを具えてなり、印字された部分の露出を調整することができる。
【０１１５】
この考案の印鑑は、片手で持つことができる印鑑で、片手の親指で調整ボタン６０（６０ａ）を自由に調整することができ、両手でなくても両側（印鑑の前方面と後方面の両面）以上の多方面の位置を位置決めする操作（特に面積が大きな印鑑では多方面を調整して平行に位置決めする必要がある）を片側で調整することができる。
【０１１６】
図２５に開示するように、上方蓋部８０ａは外側に少なくとも一以上の露出口８１ａを設けてなる。
【０１１７】
該露出口８１ａは、調整ボタン６０（６０ａ）で異なる位置に設けて位置を変更することができる。
【０１１８】
印鑑（上方蓋部８０ａと本体の両方の内の一つ）の外側面上には少なくとも一以上の露出口８１ａが設けられ、調整ボタン６０（６０ａ）の接触面６１（６１ａ）を露出せるために供し、親指で押し動かすことができる。
【０１１９】
図１９−１、１９−２及び、２６に開示するように、調整ボタン６０は、もう一方の外周に弧状部６３を設けてなる。
【０１２０】
調整ボタン６０の底部（外周縁部）には凸部６４が設けられ、それに合わせて上方蓋部８０ａ内にフック８２ａと、接続体８３ａとが設けられる。
【０１２１】
よって、弧状部６３がフック８２ａと接続体８３ａとの間に位置し、凸部６４がフック８２ａに当接し、調整ボタン６２ａの回転角度を制限することができる。
【０１２２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【０１２３】
【図１】この考案の印鑑の第一の実施形態を示した分解図である。
【図２】この考案の印鑑の第一の実施形態の長手方向に切断した状態を示した断面図である。
【図３】この考案の印鑑の第一の実施形態の長手方向に垂直な方向に切断した状態を示した断面図である。
【図４】この考案の印鑑の第一の実施形態を使用した状態を示した断面図である。
【図５】この考案の印鑑の第二の実施形態を示した断面図である。
【図６】この考案の印鑑の第三の実施形態を示した断面図である。
【図７】この考案の印鑑の第四の実施形態を示した断面図である。
【図８】この考案の印鑑の第四の実施形態の上方から見た上体（上方蓋部を設けていない）を示した平面図である。
【図９】この考案の印鑑の第五の実施形態の本体が空間を具える（点線は、左右両側の両空間が接続して空間となる前の伸縮空間を示している）ことを示した断面図である。
【図１０】この考案の印鑑の第六の実施形態を示した断面図である。
【図１１−１】この考案の印鑑の第七の実施形態の位置決めボタンを上方蓋部に設けた状態を示した説明図である。
【図１１−２】この考案の印鑑の第七の実施形態の位置決めボタンを本体上に設けた状態を示した平面図である。
【図１２−１】この考案の印鑑の第八の実施形態の係合し機のインク管と挿入管
【図１２−２】この考案の印鑑の第八の実施形態の印部のフレームを上方から見た状態を示した平面図である。
【図１２−３】この考案の印鑑の第八の実施形態の印部のフレームの断面図である。
【図１３−１】この考案の印鑑の第九の実施形態を上方から見た状態を示した平面図である。
【図１３−２】この考案の印鑑の第九の実施形態を長手方向の側面から見た状態を示した断面図である。
【図１３−３】この考案の印鑑の第九の実施形態を長手方向に垂直な側面から見た状態を示した断面図である。
【図１３−４】この考案の印鑑の第九の実施形態の方形のフレームを上方から見た状態を示した平面図である。
【図１３−５】この考案の印鑑の第九の実施形態の方形のフレームを長手方向の側面から見た状態を示した断面図である。
【図１３−６】この考案の印鑑の第九の実施形態の方形のフレームを長手方向に垂直な側面から見た状態を示した断面図である。
【図１４】この考案の印鑑の第10の実施形態を示した断面（印部の断面ではない）図である。
【図１５−１】この考案の印鑑の第１１の実施形態の蓋部が分離した状態を示した平面図である。
【図１５−２】この考案の印鑑の第１１の実施形態の蓋部が隣接した状態を示した平面図である。
【図１５−３】この考案の印鑑の第１１の実施形態の蓋部が隣接した状態を底部から見た場合を示した底面図である。
【図１５−４】この考案の印鑑の第１１の実施形態の蓋部が本体の収納空間に設けられた状態を示した底面図である。
【図１５−５】この考案の印鑑の第１１の実施形態の蓋部が本体の収納空間内に封鎖（隣接）して設けられた状態を示した底面図である。
【図１６】この考案の印鑑の第１２の実施形態を示した斜視図である。
【図１７】この考案の印鑑の第１３の実施形態を上方から見た状態を示した断面図である。
【図１８】この考案の印鑑の第１３の実施形態の印鑑を使用しないで上下に移動することができる状態を示した断面図である。
【図１９−１】この考案の印鑑の第１３の実施形態の調整ボタンを示した平面図である。
【図１９−２】この考案の印鑑の第１３の実施形態の調整ボタンを示した断面図である。
【図２０】この考案の印鑑の第１３の実施形態の凸部が保護体上端の当接端縁部の上方に位置し、上下に移動しない状態を示した断面図である。
【図２１】この考案の印鑑の第１３の実施形態の凸部が保護体内部下方の当接端縁部の下方に設けられ、上方蓋部を位置決めし、上下に移動しない状態の上方から見た状態を示した断面図である。
【図２２】この考案の印鑑の第１３の実施形態の凸部が保護体内部の下方の当接端縁部の下方に設けられて上方蓋部を位置決めし、上下に移動しない状態を示した断面図である。
【図２３】この考案の印鑑の第１３の実施形態の本体を上方から見た状態を示した平面図である。
【図２４−１】この考案の印鑑の第１４の実施形態の調整ボタンを示した平面図である。
【図２４−２】この考案の印鑑の第１４の実施形態の調整ボタンの一角度を示した断面図である。
【図２４−３】この考案の印鑑の第１４の実施形態の調整ボタンを別の一角度から見た場合の下方部分の断面図である。
【図２５】この考案の印鑑の第１５の実施形態を示した上方蓋部を示した平面図である。
【図２６】この考案の印鑑の第１５の実施形態の上方蓋部を示した断面図である。
【符号の説明】
【０１２４】
１０       本体
１０ａ     本体
１０ｂ     本体
１０ｃ     本体
１０ｆ     本体
１０ｇ     本体
１０ｉ     本体
１０ｋ     本体
１０１ｆ   透明体
１０７     外周縁部
１０８     隙間
１１       収納空間
１２       孔
１３       軸孔
１４       表示点
１５       保護体
１６       滑動面
１７       滑り止め体
１７ｇ     滑り止め体
２０       印部
２０ａ     印部
２０ｂ     印部
２０ｃ     印部
２０ｄ     印部
２０ｅ     印部
２０ｆ     印部
２０ｉ     印部
２０１ｄ   印字体
２０２ｄ   挿入管
２０３ｅ   フレーム
２０４ｉ   凸体
２１       柱体
２１ｄ     インク管
２１ｆ     柱体
２１２     凸凹部
２２       印字体
２２ｆ     インク容器
２３       ガイド部
２３ａ     印部
２３ｆ     インク部
２４       フレーム
２４１     フック片
２５       フレーム
２５１     挟持端
２５２     ガイド部
３０       上方蓋部
３０ａ     上方蓋部
３０ｂ     上方蓋部
３０ｃ     上方蓋部
３０ｆ     上方蓋部
３０ｈ     上方蓋部
３０ｉ     上方蓋部
３０１ｃ   位置決めボタン
３１       接続体
３１ｊ     延伸空間
３２       凹面
３２ｆ     凹面
３２ｈ     凹面
３３       当接部
３４       当接部
３５       凸面
３５ｄ     フック孔  
３６ｋ     凹面
４０       蓋部
４０ｂ     蓋部
４０ｃ     蓋部
４０ｇ     蓋部
４０ｉ     蓋部
４０１ｇ   貼着部
４０２ｇ   切り欠け部
４１       延伸空間
４２       凸軸
４３       フック
４３ｃ      フック
４４       溝
４５       ガイド面
４６       空間
４７       角部
５０       弾性部材
５０ａ     弾性部材
５０ｉ     弾性部材
６０       調整ボタン
６０ａ     調整ボタン
６１       接触面
６１ａ     接触面
６２       凸部
６２ａ     凸部
６３       弧状部
６４       凸部
７０       本体
７１１     階段
７１２     壁体
７１２１   当接端縁部
７１２２   当接端縁部
７１５     保護体
７１３     延伸空間
８０       上方蓋部
８０ａ     上方蓋部
８１ａ     露出口
８２ａ     フック
８３ａ     接続体
【図１】
0003156758.tif 000003
【図２】
0003156758.tif 000004
【図３】
0003156758.tif 000005
【図４】
0003156758.tif 000006
【図５】
0003156758.tif 000007
【図６】
0003156758.tif 000008
【図７】
0003156758.tif 000009
【図８】
0003156758.tif 000010
【図９】
0003156758.tif 000011
【図１０】
0003156758.tif 000012
【図１１−１】
0003156758.tif 000013
【図１１−２】
0003156758.tif 000014
【図１２−１】
0003156758.tif 000015
【図１２−２】
0003156758.tif 000016
【図１２−３】
0003156758.tif 000017
【図１３−１】
0003156758.tif 000018
【図１３−２】
0003156758.tif 000019
【図１３−３】
0003156758.tif 000020
【図１３−４】
0003156758.tif 000021
【図１３−５】
0003156758.tif 000022
【図１３−６】
0003156758.tif 000023
【図１４】
0003156758.tif 000024
【図１５−１】
0003156758.tif 000025
【図１５−２】
0003156758.tif 000026
【図１５−３】
0003156758.tif 000027
【図１５−４】
0003156758.tif 000028
【図１５−５】
0003156758.tif 000029
【図１６】
0003156758.tif 000030
【図１７】
0003156758.tif 000031
【図１８】
0003156758.tif 000032
【図１９−１】
0003156758.tif 000033
【図１９−２】
0003156758.tif 000034
【図２０】
0003156758.tif 000035
【図２１】
0003156758.tif 000036
【図２２】
0003156758.tif 000037
【図２３】
0003156758.tif 000038
【図２４−１】
0003156758.tif 000039
【図２４−２】
0003156758.tif 000040
【図２４−３】
0003156758.tif 000041
【図２５】
0003156758.tif 000042
【図２６】
0003156758.tif 000043